(57)【要約】【課題】台紙の剥離作業と、ラベル本体の貼り付け作業とを容易に行え、印刷不良を低減できるラベルシートを提供する。【解決手段】台紙１３と、台紙１３上に仮着したラベル本体１１と、台紙１３とラベル本体１１との間に設けられラベル本体１１を台紙１３上に仮着させる粘着層１２と、を有するラベルシート１０であって、台紙１３には、ラベル本体１１に到達しない半切断線が形成されており、半切断線は、台紙１３が切断された部分と台紙１３が切断されていない部分とが交互に連続するミシン目状背割り線１４と、台紙１３が切断された部分が続くスリット状背割り線１５とを有するラベルシート。【選択図】図２
2011197135.tif 000002
【特許請求の範囲】
【請求項１】
台紙と、
前記台紙上に仮着したラベル本体と、
前記台紙と前記ラベル本体との間に設けられ前記ラベル本体を前記台紙上に仮着させる粘着層と、
を有するラベルシートであって、
前記台紙には、前記ラベル本体に到達しない半切断線が形成されており、
前記半切断線は、前記台紙が切断された部分と前記台紙が切断されていない部分とが交互に連続するミシン目状部と、
前記台紙が切断された部分が続くスリット状部と、
を有すること、
を特徴とするラベルシート。
【請求項２】
請求項１に記載のラベルシートにおいて、
前記半切断線は、１つの当該ラベルシートにおいて、２つの前記スリット状部が前記ミシン目状部の両側に接続して形成されていること、
を特徴とするラベルシート。
【請求項３】
請求項１又は請求項２に記載のラベルシートにおいて、
前記ミシン目状部は、当該ラベルシートの中央寄りに設けられており、
前記スリット状部は、当該ラベルシートの端部寄りに設けられていること、
を特徴とするラベルシート。
【請求項４】
請求項１から請求項３までのいずれか１項に記載のラベルシートにおいて、
前記ラベル本体の前記粘着層と反対側の面には、印刷が行われる印刷予定領域が設けられており、
前記ミシン目状部は、前記印刷予定領域に対応する位置に設けられており、
前記スリット状部は、前記印刷予定領域から外れた領域に対応する位置に設けられていること、
を特徴とするラベルシート。
【請求項５】
請求項１から請求項４までのいずれか１項に記載のラベルシートにおいて、
当該ラベルシートが接続されることにより連続して帯状の連続体を形成していること、
を特徴とするラベルシート。
【発明の詳細な説明】
【技術分野】
【０００１】
本発明は、台紙上に仮着されたラベル本体を有するラベルシートに関するものである。
【背景技術】
【０００２】
台紙上に仮着されたラベル本体を有するラベルシートでは、台紙の剥離作業と、ラベル本体の貼り付け作業とを容易に行えるようにするために、台紙に背割りと呼ばれる半切断線を有するものが知られている（例えば、特許文献１）。特許文献１では、切り込み線状の形態の背割り線と、ミシン目状の形態の背割り線とが開示されている。
【先行技術文献】
【特許文献】
【０００３】
【特許文献１】特開２００２−３１９２７９号公報
【発明の概要】
【発明が解決しようとする課題】
【０００４】
しかし、背割りを有する従来のラベルでは、ラベル本体に印刷を行うときに、背割り部分に対応する位置に印字不良が生じる場合があった。印字不良の原因としては、背割りを台紙に形成する刃物が台紙から離れるときに、台紙の一部を引き連れて部分的に剥離させてしまい、背割り部分に段差を生じることが挙げられる。背割り部分の段差は、ラベル本体側にも凹凸を生じさせることとなり、その凹凸により、印字不良が発生してしまっていた。
【０００５】
本発明の課題は、台紙の剥離作業と、ラベル本体の貼り付け作業とを容易に行え、印刷不良を低減できるラベルシートを提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
請求項１の発明は、台紙（１３）と、前記台紙上に仮着したラベル本体（１１）と、前記台紙と前記ラベル本体との間に設けられ前記ラベル本体を前記台紙上に仮着させる粘着層（１２）と、を有するラベルシートであって、前記台紙には、前記ラベル本体に到達しない半切断線（１４，１５）が形成されており、前記半切断線は、前記台紙が切断された部分と前記台紙が切断されていない部分とが交互に連続するミシン目状部（１４）と、前記台紙が切断された部分が続くスリット状部（１５）と、を有すること、を特徴とするラベルシート（１０）である。
【０００７】
請求項２の発明は、請求項１に記載のラベルシートにおいて、前記半切断線（１４，１５）は、１つの当該ラベルシートにおいて、２つの前記スリット状部（１５）が前記ミシン目状部（１４）の両側に接続して形成されていること、を特徴とするラベルシート（１０）である。
【０００８】
請求項３の発明は、請求項１又は請求項２に記載のラベルシートにおいて、前記ミシン目状部（１４）は、当該ラベルシートの中央寄りに設けられており、前記スリット状部（１５）は、当該ラベルシートの端部寄りに設けられていること、を特徴とするラベルシート（１０）である。
【０００９】
請求項４の発明は、請求項１から請求項３までのいずれか１項に記載のラベルシートにおいて、前記ラベル本体（１１）の前記粘着層（１２）と反対側の面には、印刷が行われる印刷予定領域（Ｐ）が設けられており、前記ミシン目状部（１４）は、前記印刷予定領域に対応する位置に設けられており、前記スリット状部（１５）は、前記印刷予定領域から外れた領域に対応する位置に設けられていること、を特徴とするラベルシート（１０）である。
【００１０】
請求項５の発明は、請求項１から請求項４までのいずれか１項に記載のラベルシートにおいて、当該ラベルシートが接続されることにより連続して帯状の連続体（１００）を形成していること、を特徴とするラベルシート（１０）である。
【発明の効果】
【００１１】
本発明によれば、以下の効果を奏することができる。
【００１２】
（１）台紙の半切断線は、台紙が切断された部分と台紙が切断されていない部分とが交互に連続するミシン目状部と、台紙が切断された部分が続くスリット状部とを有する。よって、ラベルシートは、台紙の剥離作業と、ラベル本体の貼り付け作業とを容易に行え、かつ、ミシン目状部が設けられている位置に対応するラベル本体への印刷不良を低減できる。
【００１３】
（２）半切断線は、１つの当該ラベルシートにおいて、２つのスリット状部がミシン目状部の両側に接続して形成されている。よって、ラベルシートは、台紙から剥離するときに、スリット状部から台紙の分割が始まり、これに続くミシン目状部における台紙の切断を容易に行える。
【００１４】
（３）ミシン目状部は、当該ラベルシートの中央寄りに設けられており、スリット状部は、当該ラベルシートの端部寄りに設けられている。よって、ラベルシートは、中央部への印刷不良を防止できる。
【００１５】
（４）ラベル本体の粘着層と反対側の面には、印刷が行われる印刷予定領域が設けられており、ミシン目状部は、印刷予定領域に対応する位置に設けられており、スリット状部は、印刷予定領域から外れた領域に対応する位置に設けられている。よって、ラベルシートは、印刷予定領域への印刷不良を防止できる。
【００１６】
（５）ラベルシートは、当該ラベルシートが接続されることにより連続して帯状の連続体を形成している。よって、ラベルシートは、連続体のまま連続して印刷を行える。また、連続体のままラベルを剥がして利用できる。
【図面の簡単な説明】
【００１７】
【図１】本発明によるラベルシート１０を連ねたラベルシート連続体１００の実施形態を示す図である。
【図２】ラベルシート１０を詳細に示す図である。
【図３】スリット状背割り線のみを設けた従来のラベルシート１０１０を比較例として示す図である。
【発明を実施するための形態】
【００１８】
以下、本発明を実施するための最良の形態について図面等を参照して説明する。
【００１９】
（実施形態）
図１は、本発明によるラベルシート１０を連ねたラベルシート連続体１００の実施形態を示す図である。図１（ａ）は、ラベル本体１１側から見た図であり、図１（ｂ）は、台紙１３側から見た図である。
図２は、ラベルシート１０を詳細に示す図である。図２（ａ）は、ラベル本体１１側から見た図であり、図２（ｂ）は、Ａ−Ａ断面を示す断面図であり、図２（ｃ）は、台紙１３側から見た図である。
なお、以下の説明中では、図１（ａ）に示す面側、すなわち、ラベル本体１１側を表面と呼び、その反対側の台紙側を裏面と呼ぶこととする。また、表面、裏面という文言は、説明の便宜上用いているものであり、表、裏という文言に特別な意味を付するものではない。
また、図１を含め、以下に示す各図は、模式的に示した図であり、各部の大きさ、形状は、理解を容易にするために、適宜誇張して示している。
さらに、以下の説明では、具体的な数値、形状、材料等を示して説明を行うが、これらは、適宜変更することができる。
【００２０】
本実施形態のラベルシート連続体１００は、ラベルシート１０が隣接するように接続されて帯状に形成されている。
ラベルシート１０は、ラベル本体１１と、粘着層１２と、台紙１３とを表面側から順に積層して形成されている。
【００２１】
ラベル本体１１は、表面側が各種プリンタにより印刷可能なように形成されている。本実施形態のラベル本体１１は、厚さ７５μｍのコート紙を用いている。ラベル本体１１の表面側には、図中で一点鎖線により示した印刷が行われる印刷予定領域Ｐがラベルシート１０の略中央付近にある。なお、印刷予定領域Ｐは、他の領域と区別する線等が存在するのではなく、ラベルシート１０を取り扱う上での取り決めとして設けられている。また、図では、裏面側にも印刷予定領域Ｐに対応する一点鎖線を説明のために示しているが、裏面側に印刷を行うのではない。
【００２２】
粘着層１２は、ラベル本体１１の裏面側に形成された粘着性を有する層である。本実施形態の粘着層１２は、厚さ１８μｍのアクリル系エマルジョンの粘着剤をラベル本体１１の裏面にコートしている。
【００２３】
台紙１３は、ラベル本体１１側の面が、粘着層１２に対して剥離性の高い形態となっている剥離紙により形成されている。台紙１３上には、ラベル本体１１が粘着層１２を介して仮着されている。本実施形態の台紙１３は、厚さ７５μｍの剥離紙を用いている。
【００２４】
さらに、ラベルシート１０は、ミシン目状背割り線１４と、スリット状背割り線１５と、ラベル本体分割全切断線１６と、ラベル本体分割半切断線１７と、検出マーク１８とを有している。
【００２５】
ミシン目状背割り線１４は、ラベル本体１１に到達しないように台紙１３に設けられた半切断線であり、台紙１３が切断された部分と台紙１３が切断されていない部分とが交互に連続するミシン目状部である。本実施形態のミシン目状背割り線１４は、台紙１３が切断された部分と台紙１３が切断されていない部分との比が、２：１となっている。また、ミシン目状背割り線１４は、印刷予定領域Ｐと重なる位置に設けられている。よって、ミシン目状背割り線１４は、ラベルシート１０の中央寄りに設けられている。
【００２６】
スリット状背割り線１５は、ラベル本体１１に到達しないように台紙１３に設けられた半切断線であり、台紙１３が切断された部分が続くスリット状部である。スリット状背割り線１５は、ミシン目状背割り線１４の両側に一直線となって接続して形成されている。また、スリット状背割り線１５は、印刷予定領域Ｐから外れた領域に対応する位置に設けられている。よって、スリット状背割り線１５は、ラベルシート１０の端部寄りに設けられている。
【００２７】
本実施形態のラベルシート１０は、ミシン目状背割り線１４及びスリット状背割り線１５により台紙１３を２つ（台紙片１３ａと台紙片１３ｂ）に分けている。ラベルシート１０を貼り付け対象物品に貼り付けるときには、台紙片１３ａ部分においてラベルシート１０をつまむ等して台紙片１３ａとともにラベルシート１０を表面側に引く。そうすると、スリット状背割り線１５において台紙片１３ａと台紙片１３ｂとが離れながら台紙片１３ｂからラベル本体１１及び粘着層１２が剥離を始める。さらに台紙片１３ａを表面側に引くと、ミシン目状背割り線１４部分において台紙１３が切断されて、台紙片１３ｂから台紙片１３ａを切り離しながら、ラベル本体１１及び粘着層１２の台紙片１３ｂからの剥離が進む。そして、ミシン目状背割り線１４部分において完全に台紙１３が切断されて、台紙片１３ｂから台紙片１３ａが完全に分離する。そのまま台紙片１３ａとともにラベルシート１０を表面側に引くと、ラベル本体１１及び粘着層１２の台紙片１３ｂからの剥離が完了する。そして、露呈された粘着層１２を貼り付け対象物品に貼り付け、最後に台紙片１３ａを剥離して、残る粘着層１２を貼り付け対象物品に貼り付ければ、貼り付けが完了する。
【００２８】
ラベル本体分割全切断線１６は、ラベル本体１１と、粘着層１２と、台紙１３との全てを切断する全スリットである。ラベル本体分割全切断線１６は、ラベルシート連続体１００の短手方向の一端部側からスリット状背割り線１５まで設けられている。なお、図中において、ラベル本体分割全切断線１６は、ラベル本体分割半切断線１７と区別して表示するために太線により誇張して示している。
【００２９】
ラベル本体分割半切断線１７は、台紙１３に到達しないようにラベル本体１１に設けられた半切断線であり、ラベル本体分割全切断線１６に接続して設けられている。ラベル本体分割半切断線１７は、粘着層１２を切断していてもよいし、切断していなくともよい。ラベル本体分割全切断線１６及びラベル本体分割半切断線１７により分けられた範囲が、１つのラベルシート１０の範囲となる。ラベル本体分割半切断線１７は、台紙１３に到達していないので、台紙１３は、ラベル本体分割半切断線１７に対応する部分でつながっており、ラベルシート１０が連続することができ、ラベルシート連続体１００を形成している。なお、図２（ｃ）において、ラベル本体分割半切断線１７を破線により示しているが、実際は、ラベル本体分割半切断線１７は、台紙１３に到達していないので、図１（ｂ）に示すように、裏面側からは見えない。
【００３０】
検出マーク１８は、不図示のラベルプリンタ等により印刷を行うときの位置検出に用いられる印である。
【００３１】
ここで、背割りとしてミシン目状背割り線１４及びスリット状背割り線１５を設けた理由を説明するために、従来から用いられているスリット状背割り線のみを設けた場合を比較例として説明する。
図３は、スリット状背割り線のみを設けた従来のラベルシート１０１０を比較例として示す図である。図３（ａ）は、ラベル本体１０１１側から見た図であり、図３（ｂ）は、Ｂ−Ｂ断面を示す断面図であり、図３（ｃ）は、台紙１０１３側から見た図である。
この比較例のラベルシート１０１０は、背割りとしてスリット状背割り線１０１５のみを設けた他は、本実施形態のラベルシート１０と同様な形態をしている。よって、前述した本実施形態のラベルシート１０と同様の機能を果たす部分には、末尾に同一の符号を付して、重複する説明を適宜省略する。
【００３２】
比較例のラベルシート１０１０の台紙１０１３には、スリット状背割り線１０１５が一方の端部から他方の端部までにわたって設けられている。スリット状背割り線１０１５は、ラベル本体１０１１に到達しないように台紙１０１３に設けられた半切断線であり、台紙１０１３が切断された部分が続くスリット状の部分である。したがって、スリット状背割り線１０１５は、印刷予定領域Ｐと重なる位置と、印刷予定領域Ｐから外れた領域に対応する位置とに設けられている。
【００３３】
ラベルシート１０１０を製造する過程において、スリット状背割り線１０１５を形成するときには、刃物を用いて台紙１０１３を切断する。この刃物は、粘着層１０１２にまで達する。そして、この粘着層１０１２の粘着剤が刃物に付いたまま刃物が台紙１０１３から離れるときに台紙片１０１３ａ又は台紙片１０１３ｂを引き連れて裏面側へ持ち上げてしまう場合がある。裏面側へ持ち上げられた台紙片１０１３ａ又は台紙片１０１３ｂは、両者が重なり合ったり、引っかかった状態となったりして、元の状態に戻ることなく持ち上げられた状態を保ってしまうことがある。図３（ｂ）には、台紙片１０１３ｂが持ち上げられた状態を保っている場合を示している。この場合、図３（ｂ）に示すように、ラベル本体１０１１の表面に凹凸が生じてしまう。このような状態でラベル本体１０１１に印刷を行うと、例えば、図３中に示した印刷例の「Ｄ」の文字部分のような線状の印刷不良部Ｘが生じてしまっていた。
【００３４】
これに対して、本実施形態のラベルシート１０では、背割りのうち、印刷予定領域Ｐと重なる位置には、ミシン目状背割り線１４が設けられている。このミシン目状背割り線１４は、台紙１３が切断された部分と台紙１３が切断されていない部分とが交互に連続している。よって、ミシン目状背割り線１４の形成時に、刃物が離れながら台紙片１３ａ又は台紙片１３ｂを裏面側へ持ち上げるような力を台紙１３に加えたとしても、刃物が台紙１３に食い込んでいない周囲では、台紙片１３ａと台紙片１３ｂとがつながっている。これにより、台紙片１３ａ又は台紙片１３ｂの一方が他方と重なったり、ひっかかった状態となったりすることを防止でき、印刷不良を低減できる。
【００３５】
以上説明したように、本実施形態によれば、印刷予定領域Ｐと重なる位置には、ミシン目状背割り線１４を設けたので、台紙片１３ａ及び台紙片１３ｂの裏面側への持ち上がりを防止でき、印刷不良を低減できる。また、ミシン目状背割り線１４に接続するスリット状背割り線１５を印刷予定領域Ｐから外れた領域に対応する位置に設けたので、台紙の剥離作業と、ラベル本体の貼り付け作業とを容易に行える。
【００３６】
（変形形態）
以上説明した実施形態に限定されることなく、種々の変形や変更が可能であって、それらも本発明の範囲内である。
（１）本実施形態において、ラベルシート１０は、ラベルシート連続体１００を形成している例を挙げて説明した。これに限らず、例えば、枚葉形態のラベルシートであってもよい。
【００３７】
（２）本実施形態において、ミシン目状背割り線１４の両側にスリット状背割り線１５が接続している例を挙げて説明した。これに限らず、例えば、印刷予定領域がラベルシートの端部まで設定されている場合等には、ミシン目状背割り線をラベルシートの一端部まで設け、ミシン目状背割り線の他端にのみスリット状背割り線を接続するようにしてもよい。
【００３８】
なお、本実施形態及び変形形態は、適宜組み合わせて用いることもできるが、詳細な説明は省略する。また、本発明は以上説明した各実施形態によって限定されることはない。
【符号の説明】
【００３９】
１０        ラベルシート
１１        ラベル本体
１２        粘着層
１３        台紙
１３ａ      台紙片
１３ｂ      台紙片
１４        ミシン目状背割り線
１５        スリット状背割り線
１６        ラベル本体分割全切断線
１７        ラベル本体分割半切断線
１８        検出マーク
１００      ラベルシート連続体
１０１０    ラベルシート
１０１１    ラベル本体
１０１２    粘着層
１０１３    台紙
１０１３ａ  台紙片
１０１３ｂ  台紙片
１０１５    スリット状背割り線
【図１】
2011197135.tif 000003
【図２】
2011197135.tif 000004
【図３】
2011197135.tif 000005